(57)【要約】【課題】部品点数の増加を抑えながら、放熱性の向上を図ることができ、且つ振動を低減することができる回転電機を提供する。【解決手段】直流モータは、複数のティース部Ｔ１〜Ｔ８を有し同一形状のコアシート１２１が積層されてなる電機子コア１０７を備える。コアシート１２１は、積層されてティース部Ｔ１〜Ｔ８を構成するティース構成部１２１ａと、積層されてティース部Ｔ１〜Ｔ８の基端部を周方向に連結する周方向連結部１０７ａを構成する周方向連結構成部１２１ｂと、積層されて回転軸が内嵌される環状の固定部１０７ｂを構成する固定構成部１２１ｃと、積層されて周方向連結部１０７ａと固定部１０７ｂとを連結する径方向連結部１０７ｃを構成する径方向連結構成部１２１ｄとを有する。径方向連結構成部１２１ｄはティース構成部１２１ａの数の倍数及び約数を除いた数に設定される。径方向連結構成部１２１ｄは周方向にずれるように積層される。【選択図】      図３
2006333639.tif 000002
【特許請求の範囲】
【請求項１】
回転軸に固定され、放射状に設けられる複数のティース部を有し、該ティース部に巻線が巻装された電機子コアを備えた回転電機において、
前記電機子コアは、
軸方向に積層される同一形状の複数のコアシートを有し、
前記コアシートは、
積層されて前記ティース部を構成するティース構成部と、積層されて前記ティース部の基端部を周方向に連結する周方向連結部を構成する周方向連結構成部と、積層されて前記回転軸が内嵌される環状の固定部を構成する固定構成部と、積層されて前記周方向連結部の周方向の一部から径方向内側に延出し該周方向連結部と前記固定部とを連結する径方向連結部を構成する径方向連結構成部とを有し、前記径方向連結構成部が前記ティース構成部の数の倍数及び約数を除いた数に設定されて等角度間隔に配置されるものであって、
前記ティース構成部が周方向に一致するように積層されるとともに、前記径方向連結構成部の少なくとも一部が周方向にずれるように積層されたことを特徴とする回転電機。
【請求項２】
請求項１に記載の回転電機において、
前記径方向連結構成部は、前記ティース構成部の数の倍数に１を足し算又は引き算した数、若しくは約数に１を足し算又は引き算した数に設定されたことを特徴とする回転電機。
【請求項３】
請求項１又は２に記載の回転電機において、
前記径方向連結構成部は、前記ティース構成部の数より多い数に設定されたことを特徴とする回転電機。
【請求項４】
請求項１乃至３のいずれか１項に記載の回転電機において、
前記径方向連結構成部の周方向の幅は、周方向に隣り合う前記径方向連結構成部の間の周方向の幅より小さく設定されたことを特徴とする回転電機。
【請求項５】
放射状に設けられ巻線が巻装される複数のティース部を有する電機子コアにおいて、
軸方向に積層される同一形状の複数のコアシートを有し、
前記コアシートは、
積層されて前記ティース部を構成するティース構成部と、積層されて前記ティース部の基端部を周方向に連結する周方向連結部を構成する周方向連結構成部と、積層されて回転軸が内嵌される環状の固定部を構成する固定構成部と、積層されて前記周方向連結部の周方向の一部から径方向内側に延出し該周方向連結部と前記固定部とを連結する径方向連結部を構成する径方向連結構成部とを有し、前記径方向連結構成部が前記ティース構成部の数の倍数及び約数を除いた数に設定されて等角度間隔に配置されるものであって、
前記ティース構成部が周方向に一致するように積層されるとともに、前記径方向連結構成部の少なくとも一部が周方向にずれるように積層されたことを特徴とする電機子コア。
【発明の詳細な説明】
【技術分野】
【０００１】
本発明は、巻線が巻装される電機子コアを備えた回転電機、及び電機子コアに関するものである。
【背景技術】
【０００２】
従来、回転電機としての直流モータとしては、放射状のティース部を有する電機子コアと回転軸との径方向の間に、それら電機子コアと回転軸とを連結する連結部材を備えたものがある（例えば、特許文献１参照）。そして、この連結部材は中空部（空隙）を有することで、特にティース部に巻線が集中巻にて巻装され発熱し易い電機子コアにおいて、その放熱性が良好となる。
【０００３】
又、他の直流モータにおける電機子コアとしては、放射状の１６本のティース部の内側において径方向に延びる４本の径方向連結部を有するものがある（例えば、特許文献２参照）。この電機子コアは、軸方向に積層される複数のコアシートよりなり、前記径方向連結部を構成するためのコアシートの径方向連結構成部を周方向にずれるように積層することで、径方向連結部をファンの羽形状としている。このような直流モータ（電機子コア）では、ファンの羽形状による送風作用により放熱性を更に良好とすることができる。
【特許文献１】特開２００４−８８９０２号公報
【特許文献２】特開２００２−１９９６２６号公報
【発明の開示】
【発明が解決しようとする課題】
【０００４】
しかしながら、上記のような連結部材を有する回転電機（電機子コア）では、連結部材を必要とするため、部品点数が増加してしまうという問題がある。又、巻線が集中巻にて巻装される電機子コアは（巻線の占積率が高く隙間も少なく）発熱し易いため、更なる放熱性の向上が望まれている。
【０００５】
又、上記のようなファンの羽形状を有する回転電機（電機子コア）では、各ティース部に対する径方向連結部の角度位置が一定（多数箇所で一致）となるため、駆動時の振動が共振して増幅されてしまう虞があり、振動が大きくなってしまうという虞がある。
【０００６】
本発明は、上記問題点を解決するためになされたものであって、その目的は、部品点数の増加を抑えながら、放熱性の向上を図ることができ、且つ振動を低減することができる回転電機、及び電機子コアを提供することにある。
【課題を解決するための手段】
【０００７】
請求項１に記載の発明では、回転軸に固定され、放射状に設けられる複数のティース部を有し、該ティース部に巻線が巻装された電機子コアを備えた回転電機において、前記電機子コアは、軸方向に積層される同一形状の複数のコアシートを有し、前記コアシートは、積層されて前記ティース部を構成するティース構成部と、積層されて前記ティース部の基端部を周方向に連結する周方向連結部を構成する周方向連結構成部と、積層されて前記回転軸が内嵌される環状の固定部を構成する固定構成部と、積層されて前記周方向連結部の周方向の一部から径方向内側に延出し該周方向連結部と前記固定部とを連結する径方向連結部を構成する径方向連結構成部とを有し、前記径方向連結構成部が前記ティース構成部の数の倍数及び約数を除いた数に設定されて等角度間隔に配置されるものであって、前記ティース構成部が周方向に一致するように積層されるとともに、前記径方向連結構成部の少なくとも一部が周方向にずれるように積層された。
【０００８】
請求項２に記載の発明では、請求項１に記載の回転電機において、前記径方向連結構成部は、前記ティース構成部の数の倍数に１を足し算又は引き算した数、若しくは約数に１を足し算又は引き算した数に設定された。
【０００９】
請求項３に記載の発明では、請求項１又は２に記載の回転電機において、前記径方向連結構成部は、前記ティース構成部の数より多い数に設定された。
請求項４に記載の発明では、請求項１乃至３のいずれか１項に記載の回転電機において、前記径方向連結構成部の周方向の幅は、周方向に隣り合う前記径方向連結構成部の間の周方向の幅より小さく設定された。
【００１０】
請求項５に記載の発明では、放射状に設けられ巻線が巻装される複数のティース部を有する電機子コアにおいて、軸方向に積層される同一形状の複数のコアシートを有し、前記コアシートは、積層されて前記ティース部を構成するティース構成部と、積層されて前記ティース部の基端部を周方向に連結する周方向連結部を構成する周方向連結構成部と、積層されて回転軸が内嵌される環状の固定部を構成する固定構成部と、積層されて前記周方向連結部の周方向の一部から径方向内側に延出し該周方向連結部と前記固定部とを連結する径方向連結部を構成する径方向連結構成部とを有し、前記径方向連結構成部が前記ティース構成部の数の倍数及び約数を除いた数に設定されて等角度間隔に配置されるものであって、前記ティース構成部が周方向に一致するように積層されるとともに、前記径方向連結構成部の少なくとも一部が周方向にずれるように積層された。
【００１１】
（作用）
請求項１及び５に記載の発明によれば、電機子コアは、コアシートによって、ティース部と、ティース部の基端部を周方向に連結する周方向連結部と、回転軸が内嵌される環状の固定部と、周方向連結部の周方向の一部から径方向内側に延出し該周方向連結部と前記固定部とを連結する径方向連結部とを有することになる。よって、径方向連結部の周方向に空隙が形成されることになり、電機子コアの放熱性が良好となる。しかも、従来技術の回転軸と電機子コアとの間に別部材（連結部材）を設けて空隙を形成する構成に対して、部品点数が増加しない。又、径方向連結構成部がティース構成部の数の倍数及び約数を除いた数に設定されて等角度間隔に配置されるため、各ティース構成部（ティース部）に対する径方向連結構成部（径方向連結部）の角度位置が多数箇所で一致することが防止され、駆動時の振動が共振して増幅されてしまうといったことが低減される。よって、振動を低減することができる。又、径方向連結構成部の少なくとも一部が周方向にずれるように積層されて径方向連結部が構成されるため、例えば、径方向連結部を軸方向に対して傾斜した形状、即ちファンの羽形状とすることができ、その送風作用により放熱性を更に良好とすることができる。更に、上記した構成は、同一形状の複数のコアシートより得ることができるので、構成部品の品番が増加することはない。
【００１２】
請求項２に記載の発明によれば、径方向連結構成部（径方向連結部）は、ティース構成部（ティース部）の数の倍数に１を足し算又は引き算した数、若しくはティース構成部（ティース部）の数の約数に１を足し算又は引き算した数に設定される。このようにすると、各ティース構成部（ティース部）に対する径方向連結構成部（径方向連結部）の角度位置を容易に全て異なるようにすることができ、駆動時の振動が共振して増幅されてしまうといったことを良好に低減することができる。
【００１３】
請求項３に記載の発明によれば、径方向連結構成部（径方向連結部）は、ティース構成部（ティース部）の数より多い数に設定されるため、１本のティース部に対する径方向連結部の数が１本以上となり、ティース部を良好に支持することができる。
【００１４】
請求項４に記載の発明によれば、径方向連結構成部の周方向の幅は、周方向に隣り合う前記径方向連結構成部の間の周方向の幅より小さく設定されるため、前記空隙の周方向の幅が前記径方向連結部の周方向の幅より大きくなる。よって、電機子コアの放熱性が更に良好となる。
【発明の効果】
【００１５】
請求項１〜４の発明によれば、部品点数の増加を抑えながら、放熱性の向上を図ることができ、且つ振動を低減することができる回転電機を提供することができる。
又、請求項５の発明によれば、部品点数の増加を抑えながら、放熱性の向上を図ることができ、且つ振動を低減することができる電機子コアを提供することができる。
【発明を実施するための最良の形態】
【００１６】
以下、本発明を具体化した一実施の形態を図１〜図５に従って説明する。
図１に示すように、回転電機としての直流モータ１０１は、固定子１０２と電機子（回転子）１０３とを備えている。固定子１０２は、略筒形状のヨークハウジング１０４と、該ヨークハウジング１０４の内周面に等角度間隔で配置固着された複数（本実施形態では６つ）のマグネット１０５とを備えている。本実施の形態では、マグネット１０５は６個（６極）設けられ、磁極数が６とされている。
【００１７】
電機子１０３は、図１及び図２に示すように、回転軸１０６と、該回転軸１０６に固定された電機子コア１０７と、同じく回転軸１０６に固定された整流子１０８とを備える。電機子１０３は、図２に示すように、回転軸１０６の両端側がヨークハウジング１０４を含むハウジング（詳しくはヨークハウジング１０４及びその開口部を塞ぐエンドハウジングＥ）に保持された軸受Ｇにて回転可能に支持されている。尚、この状態で整流子１０８の外周にはヨークハウジング１０４を含むハウジング（詳しくは前記エンドハウジングＥ）に保持され給電を行うための陽極側及び陰極側ブラシ１０９ａ，１０９ｂが摺接可能に押圧接触される。又、この状態で電機子コア１０７はマグネット１０５と対向して周囲を囲まれるように配置される。
【００１８】
電機子コア１０７は回転軸１０６を中心として放射状に延びる８本のティース部Ｔ１〜Ｔ８を有し、該ティース部Ｔ１〜Ｔ８間にはそれぞれスロットＳ１〜Ｓ８が形成されている（図１、図３（ａ）及び図５（ａ）参照）。即ち、本実施の形態では、スロット数が８（８スロット）とされている。そして、ティース部Ｔ１〜Ｔ８には、スロットＳ１〜Ｓ８内を通るように巻線Ｍ１〜Ｍ８がそれぞれインシュレータ１１０（図２参照）を介して集中巻にて巻装されている。尚、図５（ａ）は、電機子１０３を平面状に展開した模式図である。
【００１９】
整流子１０８は、図２に示すように、整流子本体１１１と短絡部材１１２とからなる。整流子本体１１１は、略円筒形状の本体絶縁材１１３と、本体絶縁材１１３の外周面に周方向に２４個配設されるセグメント１〜２４（図５（ａ）参照）とを備える。尚、このセグメント１〜２４は本体絶縁材１１３の外周で略円筒状をなし、その径方向外側から前記陽極側及び陰極側ブラシ１０９ａ，１０９ｂが当接（押圧接触）されることになる。
【００２０】
短絡部材１１２は、整流子本体１１１の軸方向端部に固定され、図５（ａ）に示すように、２４個のセグメント１〜２４を１２０度間隔に電気的に接続し、例えば、セグメント１，９，１７の組や、セグメント５，１３，２１の組を短絡された（同電位）状態とする。詳しくは、短絡部材１１２は、図４に示すように、絶縁層（絶縁紙）１１４を挟む２つの層にそれぞれ２４個ずつ配置された短絡片１１５，１１６を備える。一方（図４中、紙面手前側の層）の各短絡片１１５は、その径方向内側端部が径方向外側端部に対して周方向一方（図４中、時計回り方向）に６０°ずれるように形成されている。又、他方（図４中、紙面奥側の層であって、破線で示す）の各短絡片１１６は、その径方向内側端部が径方向外側端部に対して周方向他方（図４中、反時計回り方向）に６０°ずれるように形成されている。そして、２つの層の各短絡片１１５，１１６は、互いに径方向内側端部同士、及び径方向外側端部同士が（絶縁層１１４を挟まずに）それぞれ電気的に接続されている。これにより、短絡部材１１２における短絡片１１５，１１６の径方向外側端部は、１２０度間隔に電気的に接続されることになる。そして、短絡部材１１２は、その各径方向外側端部がセグメント１〜２４にそれぞれ電気的に接続されるように整流子本体１１１に固定されている。尚、本実施の形態では、他方（図４中、紙面奥側の層であって、破線で示す）の短絡片１１６における径方向外側端部に前記巻線Ｍ１〜Ｍ８の端部を接続固定するためのライザ１１６ａが形成されている。又、このライザ１１６ａは、２４個の短絡片１１６において、周方向に３つおきに（即ち全体で８個）形成されている。
【００２１】
そして、前記巻線Ｍ１〜Ｍ８は、その端部が前記ライザ１１６ａに係止されることでセグメント１〜２４に結線されながら、全部で１つの閉ループを構成するように（即ち直列に接続されながら）巻装されている。尚、本実施の形態の巻線Ｍ１〜Ｍ８は、Ｍ１、Ｍ４、Ｍ７、Ｍ２、Ｍ５、Ｍ８、Ｍ３、Ｍ６、Ｍ１…の順で閉ループを構成している。即ち、図５（ａ）における巻線Ｍ１〜Ｍ８によって形成される回路を視覚的に分かり易く展開すると図５（ｂ）のようになる。又、このように巻線Ｍ１〜Ｍ８を全部で１つの閉ループを構成するように巻装することで、陽極側及び陰極側ブラシ１０９ａ，１０９ｂ間の並列回路数ａは２とされている。つまり、２つのブラシ（陽極側及び陰極側ブラシ１０９ａ，１０９ｂ）間は２系統で接続されることを意味する。
【００２２】
ここで、電機子コア１０７は、図３（ａ），（ｂ）に示すように、ティース部Ｔ１〜Ｔ８の基端部を周方向に連結する周方向連結部１０７ａと、前記回転軸１０６が内嵌される環状の固定部１０７ｂと、周方向連結部１０７ａの周方向の一部から径方向内側に延出し周方向連結部１０７ａと固定部１０７ｂとを連結する径方向連結部１０７ｃとを備える。
【００２３】
詳しくは、電機子コア１０７は、同一形状の複数（本実施の形態では２４枚）のコアシート１２１を軸方向（図３（ａ）中、紙面直交方向）に積層してなる。尚、図２では、コアシート１２１同士の境界線を省略している。コアシート１２１は、積層されて前記ティース部Ｔ１〜Ｔ８を構成するティース構成部１２１ａと、積層されて前記周方向連結部１０７ａを構成する周方向連結構成部１２１ｂと、積層されて前記固定部１０７ｂを構成する固定構成部１２１ｃと、積層されて前記径方向連結部１０７ｃを構成する径方向連結構成部１２１ｄとを有する。
【００２４】
径方向連結構成部１２１ｄ（径方向連結部１０７ｃ）は、ティース構成部１２１ａ（ティース部Ｔ１〜Ｔ８）の数（本実施の形態では８本）の倍数及び約数を除いた数に設定されて、等角度間隔に配置されている。又、本実施の形態では、径方向連結構成部１２１ｄ（径方向連結部１０７ｃ）は、ティース構成部１２１ａの数の倍数に１を足し算又は引き算した数、若しくは約数に１を足し算又は引き算した数であって、１７本に設定されている。そして、ティース構成部１２１ａは周方向に一致するように積層されるとともに、径方向連結構成部１２１ｄの少なくとも一部は周方向にずれるように積層されている。本実施の形態では、径方向連結構成部１２１ｄは、徐々に（本実施の形態では３枚毎に）周方向にずれるように積層されている。又、本実施の形態では、径方向連結構成部１２１ｄの周方向の幅は、周方向に隣り合う径方向連結構成部１２１ｄの間（隙間）の周方向の幅より小さく設定されている。上記のように形成される電機子コア１０７には、径方向連結部１０７ｃの周方向（周方向に隣り合う径方向連結部１０７ｃ同士の間）に空隙１２２（図３（ｂ）参照）が形成されることになる。尚、本実施の形態の電機子コア１０７における前記空隙１２２は、前記インシュレータ１１０に形成された前記巻線Ｍ１〜Ｍ８の渡り線１２３（図２参照）の通路１１０ａと対応（対向）した径方向外側の位置まで形成され、前記渡り線１２３の冷却にも寄与するように設定されている。
【００２５】
次に、上記実施の形態の特徴的な作用効果を以下に記載する。
（１）電機子コア１０７には、径方向連結部１０７ｃの周方向（周方向に隣り合う径方向連結部１０７ｃ同士の間）に空隙１２２（図３（ｂ）参照）が形成されるため、その放熱性が良好となる。しかも、従来技術の回転軸と電機子コアとの間に別部材（連結部材）を設けて空隙を形成する構成に対して、部品点数が増加しない。
【００２６】
又、径方向連結構成部１２１ｄ（径方向連結部１０７ｃ）は、ティース構成部１２１ａ（ティース部Ｔ１〜Ｔ８）の数（本実施の形態では８本）の倍数及び約数を除いた数に設定されて等角度間隔に配置される。よって、各ティース構成部１２１ａ（ティース部Ｔ１〜Ｔ８）に対する径方向連結構成部１２１ｄ（径方向連結部１０７ｃ）の角度位置が多数箇所で一致することが防止され、駆動時の振動が共振して増幅されてしまうといったことが低減される。よって、振動を低減することができる。
【００２７】
又、径方向連結構成部１２１ｄの少なくとも一部が周方向にずれるように積層されて径方向連結部１０７ｃが構成される。そして、本実施の形態では、径方向連結構成部１２１ｄが徐々に（本実施の形態では３枚毎に）周方向にずれるように積層されるため、径方向連結部１０７ｃが軸方向に対して傾斜した形状、即ちファンの羽形状となり、その送風作用により放熱性が更に良好となる。更に、上記した構成は、同一形状の複数のコアシート１２１より得ることができるので、構成部品の品番が増加することはない。
【００２８】
（２）径方向連結構成部１２１ｄ（径方向連結部１０７ｃ）は、ティース構成部１２１ａ（ティース部Ｔ１〜Ｔ８）の数の倍数に１を足し算又は引き算した数、若しくはティース構成部１２１ａ（ティース部Ｔ１〜Ｔ８）の数の約数に１を足し算又は引き算した数であって、１７本に設定される。このようにすると、各ティース構成部１２１ａ（ティース部Ｔ１〜Ｔ８）に対する径方向連結構成部１２１ｄ（径方向連結部１０７ｃ）の角度位置を容易に全て異なるようにすることができ、駆動時の振動が共振して増幅されてしまうといったことを良好に低減することができる。
【００２９】
（３）径方向連結構成部１２１ｄ（径方向連結部１０７ｃ）は、ティース構成部１２１ａ（ティース部Ｔ１〜Ｔ８）の数（８本）より多い数（１７本）に設定されるため、１本のティース部Ｔ１〜Ｔ８に対する径方向連結部１０７ｃの数が１本以上となり、ティース部Ｔ１〜Ｔ８を良好に（強固に）支持することができる。
【００３０】
（４）径方向連結構成部１２１ｄの周方向の幅は、周方向に隣り合う径方向連結構成部１２１ｄの間（隙間）の周方向の幅より小さく設定されるため、前記空隙１２２の周方向の幅が前記径方向連結部１０７ｃの周方向の幅より大きくなる。よって、電機子コア１０７の放熱性が更に良好となる。
【００３１】
（５）巻線Ｍ１〜Ｍ８が集中巻にて巻装される電機子コア１０７は（巻線Ｍ１〜Ｍ８の占積率が高くスロットＳ１〜Ｓ８における隙間が少なくなることから）発熱し易いが、その電機子コアにおいて、放熱性が良好となる。
【００３２】
（６）電機子コア１０７は、同一形状の複数のコアシート１２１のみよりなるため、構成部品の品番が１つとなる。
上記実施の形態は、以下のように変更してもよい。
【００３３】
・上記実施の形態では、電機子コア１０７における前記空隙１２２は、渡り線１２３（図２参照）の通路１１０ａと対応した径方向外側の位置まで形成されるとしたが、これに限定されず、他の位置まで形成されるように変更してもよい。例えば、図６に示すように、渡り線１２３の通路１１０ａより径方向内側までしか形成されない空隙１２４としてもよい。即ち、上記実施の形態の周方向連結部１０７ａ（図２参照）を、通路１１０ａと対応（対向）した径方向位置に形成された周方向連結部１０７ｄとしてもよい。このようにすると、通路１１０ａが周方向連結部１０７ｄに強固に支持され、（例えば渡り線１２３を渡す際に）その変形が防止される。尚、勿論、インシュレータ１１０に渡り線１２３の通路１１０ａが形成されていないものにおいて実施してもよい。
【００３４】
・上記実施の形態では、径方向連結構成部１２１ｄ（径方向連結部１０７ｃ）は、１７本形成されるとしたが、これに限定されず、ティース構成部１２１ａ（ティース部Ｔ１〜Ｔ８）の数の倍数及び約数を除いた数であれば、他の数に変更してもよい。又、上記実施の形態では、径方向連結構成部１２１ｄ（径方向連結部１０７ｃ）は、ティース構成部１２１ａ（ティース部Ｔ１〜Ｔ８）の数の倍数に１を足し算した数としたが、ティース構成部１２１ａの数の倍数に１を引き算した数、若しくはティース構成部１２１ａの数の約数に１を足し算又は引き算した数としてもよい。
【００３５】
・上記実施の形態では、径方向連結構成部１２１ｄの周方向の幅は、周方向に隣り合う径方向連結構成部１２１ｄの間（隙間）の周方向の幅より小さく設定されるとしたが、これに限定されず、同じ又は大きく設定してもよい。
【００３６】
・上記実施の形態では、巻線Ｍ１〜Ｍ８が集中巻にて巻装される電機子コア１０７に具体化したが、（ティース部に）巻線が分布巻にて巻装される電機子コアに具体化してもよい。
【００３７】
・上記実施の形態では、電機子コア１０７は、同一形状のコアシート１２１のみよりなるとしたが、これに限定されるものではなく、（コアシート１２１に加えて）他の形状のコアシートを積層して構成してもよい。例えば、電機子コアにおける軸方向端部にのみ、固定部及び径方向連結部と対応した部分が形成されていない（即ちティース部及び周方向連結部と対応した部分のみの）コアシートを積層して構成してもよい。即ち、この電機子コアでは、軸方向端部の中央に軸方向から円筒状に凹設された形状の凹部が形成されることになる。よって、その凹部に例えば、整流子の一部を収容することができ、ひいては直流モータの短軸化を図ることができる。
【００３８】
・上記実施の形態では、径方向連結構成部１２１ｄが徐々に３枚毎に周方向にずれるように積層されるとしたが、他の複数枚（例えば５枚）毎に周方向にずれるように積層してもよいし、１枚ずつ周方向にずれるように積層してもよい。
【００３９】
・上記実施の形態の各数（例えば、マグネット１０５の数やティース部Ｔ１〜Ｔ８の数等）を変更して実施してもよい。
・上記実施の形態における整流子１０８は、短絡部材１１２によって２４個のセグメント１〜２４が１２０度間隔に電気的に接続されるとしたが、これに限定されるものではなく、例えば巻線Ｍ１〜Ｍ８と連続した配線（渡り線）にてセグメント１〜２４が１２０度間隔に電気的に接続される構成としてもよい。
【００４０】
上記各実施の形態から把握できる技術的思想について、以下にその効果とともに記載する。
（イ）請求項１乃至４のいずれか１項に記載の回転電機において、前記径方向連結構成部は、徐々に（複数枚毎に又は１枚ずつ）周方向にずれるように積層されたことを特徴とする回転電機。このようにすると、径方向連結部が軸方向に対して傾斜した形状、即ちファンの羽形状となり、その送風作用により放熱性が更に良好となる。
【００４１】
（ロ）請求項１乃至４、及び上記（イ）のいずれか１つに記載の回転電機において、前記巻線は、前記ティース部に集中巻にて巻装されたことを特徴とする回転電機。このようにすると、巻線が集中巻にて巻装され発熱し易い電機子コアにおいて、その放熱性が良好となる。
【００４２】
（ハ）請求項１乃至４、及び上記（イ），（ロ）のいずれか１つに記載の回転電機において、前記電機子コアは、同一形状の複数の前記コアシートのみよりなることを特徴とする回転電機。このようにすると、電機子コアを構成する構成部品の品番が１つとなる。
【図面の簡単な説明】
【００４３】
【図１】本実施の形態におけるモータの概略構成図。
【図２】本実施の形態における電機子の要部断面図。
【図３】（ａ）本実施の形態における電機子コアの平面図。（ｂ）本実施の形態における電機子コアの斜視図。
【図４】本実施の形態における短絡部材の平面図。
【図５】（ａ）本実施の形態の電機子を平面状に展開して説明するための説明図。（ｂ）本実施の形態の電機子の巻線によって形成される回路図。
【図６】別例における電機子の要部断面図。
【符号の説明】
【００４４】
１０６…回転軸、１０７…電機子コア、１０７ａ，１０７ｄ…周方向連結部、１０７ｂ…固定部、１０７ｃ…径方向連結部、１２１…コアシート、１２１ａ…ティース構成部、１２１ｂ…周方向連結構成部、１２１ｃ…固定構成部、１２１ｄ…径方向連結構成部、Ｍ１〜Ｍ８…巻線、Ｔ１〜Ｔ８…ティース部。
【図１】
2006333639.tif 000003
【図２】
2006333639.tif 000004
【図３】
2006333639.tif 000005
【図４】
2006333639.tif 000006
【図５】
2006333639.tif 000007
【図６】
2006333639.tif 000008